(57)【特許請求の範囲】
【請求項１】
引戸錠Ｘに対して縦方向に付設される引手３０と、スライド板部４９が引手の凹所正面底壁３５の裏面に沿うようにし、一方、スライド板部４９の一端部に連設する嵌合突壁５１が正面底壁３５に形成した切欠部３６に遊嵌合するスライド駆動板４７と、引手の凹所３１内にスライド駆動板４７と共に復帰バネ４４のバネ力に抗して水平移動するように該スライド駆動板に一体的に設けられた縦長状引手レバー４０と、引手用支持板６０と引手３０との間に中央部軸３７に軸支された状態で介在し、かつ、前記スライド板部４９に形成した枠状嵌合部４８に係合歯６６，６６を介して同期的に協動するように設けられると共に、対称的な自由端部６７，６７が前記枠状嵌合部４８に均等状態に当接する上下の揺動カム板６５，６５Ａと、この揺動カム板６５からの動力を変換するギヤ部材７０を備えた動力変換機構を介して上下動するようにスライド駆動板４７に対して設けられた引張り手段７５とから成る引戸錠用のロック解除駆動機構。
【請求項２】
請求項１に於いて、復帰バネ４４は縦長状引手レバー４０の垂直壁４１に複数個取付けられ、かつ、スライド駆動板４７の嵌合突壁５１を貫通した状態で引手の周側壁３２の一側内壁面３２ａに圧接することを特徴とする引戸錠用のロック解除駆動機構。
【請求項３】
請求項１に於いて、動力変換機構のギヤ部材７０は、そのピニオン部分７１がスライド駆動板４７の端部に形成したラック５０に噛合することを特徴とする引戸錠用のロック解除駆動機構。
【請求項４】
請求項１に於いて、引張り手段７５は、ギア部材７０のピニオン部分７１に噛合うように支持板６０の案内側壁６２と引手３０の周側壁３２の他側外壁面３２ｂとの間に介在していることを特徴とする引戸錠用のロック解除駆動機構。
【請求項５】
請求項１に於いて、引張り手段７５は、引戸錠Ｘの係止片１２の被係合部１７と係合する係合部７６と、この係合部７６に連設するスライド部７７と、このスライド部７７の側端部を折り曲げて形成され、かつ、ギア部材７０と噛合う縦方向の連続的係合歯７８とを有することを特徴とする引戸錠用のロック解除駆動機構。
【請求項６】
引手３０の裏面に沿うように設けられ、かつ、その嵌合突壁５１が引手の正面底壁３５に形成した切欠部３６に遊嵌合するスライド駆動板４７と、前記引手の凹所３１内に復帰バネ４４のバネ力に抗して前記スライド駆動板４７と共に水平移動するように前記嵌合突壁５１に一体的に設けられた引手レバー４０と、引手用支持板６０と前記引手３０との間に中央部軸３７に軸支された状態で介在し、かつ、スライド駆動板４７に形成した嵌合部４８に同期的に協動するように設けられていると共に、自由端部６７，６７が前記嵌合部４８に均等状態に当接する上下の揺動カム板６５，６５Ａと、この揺動カム板６５，６５Ａからの動力を変換することができるように前記スライド駆動板４７の水平方向のラック５０並びに引張り手段７５の縦方向の連続的係合歯７８に噛合するギア部材７０を備えた動力変換機構と、該動力変換機構を介して上下動する前記引張り手段７５とから成る引戸錠用のロック解除駆動機構。
【請求項７】
請求項６に於いて、動力変換機構及び引張り手段７５は、上下に一対設けられていることを特徴とする引戸錠用のロック解除駆動機構。
【発明の詳細な説明】
【０００１】
【発明の属する技術分野】
本発明は、引戸錠用のロック解除駆動機構に関し、特に引戸錠に付設される引手に一体的に設けられ、かつ、引戸錠の鎌片を仮施錠状態にする仮施錠用係止片の係合状態を解除するのに適する引戸錠用のロック解除駆動機構に関する。
【０００２】
【従来の技術】
引手を利用して引戸を開く場合、望ましくは、少なくとも人差し指乃至薬指を引手の凹所内に十分に差込み、それと同時に引戸の凹所内に組み入れた可動操作レバー（本発明ではスライド駆動板）を引戸の開く方向にプッシュすると、引手に一体的に設けられたロック解除駆動機構を介し、引戸錠の鎌片を仮施錠状態にするロックする部材の係合を解消することができれば便利である。
【０００３】
ところで、戸枠の受金具と掛合する鎌片を仮施錠状態にロックする係止片を解錠状態にするロック解除駆動機構に於いて、従来、技術的課題の一つとして可動操作レバーのどの部分を押圧しても、該可動操作レバーがバランス良く水平方向に移動することが要望されている。
【０００４】
【発明が解決しようとする課題】
本発明は以上のような従来の要望点に鑑み、第１の目的は、引手レバーのどの部位（上部、中央部、下部など）をプッシュしても、ストローク不足が生ずることがなく、スライド駆動板と共に水平移動することである。第２の目的は、スライド駆動板が傾倒することなく、バランス良く左右動することである。第３の目的は、各部材を合理的に組合わせることができることである。第４の目的は、実施例によっては引戸に取付ける際に左右勝手に対応することである。
【０００５】
【課題を解決するための手段】
本発明の引戸錠用のロック解除駆動機構は、引手３０の裏面に沿うように設けられ、かつ、その嵌合突壁５１が引手の正面底壁３５に形成した切欠部３６に遊嵌合するスライド駆動板４７と、前記引手の凹所３１内に復帰バネ４４のバネ力に抗して前記スライド駆動板４７と共に水平移動するように前記嵌合突壁５１に一体的に設けられた引手レバー４０と、引手用支持板６０と前記引手３０との間に中央部軸３７に軸支された状態で介在し、かつ、スライド駆動板４７に形成した嵌合部４８に同期的に協動するように設けられていると共に、自由端部６７，６７が前記嵌合部４８に均等状態に当接する上下の揺動カム板６５，６５Ａと、この揺動カム板６５，６５Ａからの動力を変換することができるように前記スライド駆動板４７の水平方向のラック５０並びに引張り手段７５の縦方向の連続的係合歯７８に噛合するギア部材７０を備えた動力変換機構と、該動力変換機構を介して上下動する前記引張り手段７５とから成ることを特徴とする。
【０００６】
【発明の実施の形態】
図１により本発明の実施形態に基づく一実施例を構成部材に区分けして説明する。
【０００７】
（１）発明の実施の環境
まず発明の実施の環境について説明する。Ｘは引戸錠で、この引戸錠Ｘは引戸１に取り付けられている。一方、Ｙは戸枠２に取り付けられた受金具で、この受金具Ｙはストライクと称される受板３を有する。次に４は錠ケース、５は錠ケースのフロント、６は蓋板である。錠ケース４内にはトリガー、鎌片、仮施錠機構、安全機構、本施錠機構がそれぞれ設けられ、そして、例えば引戸錠Ｘの係止片１２の係合状態を解除するロック解除駆動機構Ｚが錠ケースに付設されている。  （２）トリガー，鎌片など
７は錠ケース４内に摺動自在に装着された進退動部材（トリガー）で、このトリガー７は、トリガーバネ８により常時突出方向に付勢されている。９は鎌片で、この鎌片９は、基部にピニオン１０を備えている。ピニオン１０はトリガー７のラック１１に噛合している。したがって、図１で示すようにトリガー７が錠ケース内に後退すると、鎌片９はストライク（受板）３と掛合状態となる。
【０００８】
（３）仮施錠部材
仮施錠部材は、図１で示すように鎌片９がストライク３と掛合状態となった瞬間に該鎌片９と係合し、鎌片の後退を阻止するラッチング係止機能を有する。例えば符合１２は鎌片９に形成したラチェット歯１３に係脱する係合爪部１４を有する仮施錠用係止片で、この係止片１２は横軸１５に案内されていると共に、ばね１６により鎌片に係合する方向へ常時付勢されている。この係止片１２は、本実施例ではＬ字型状に形成され、その下部側の水平杆に被係合部（突起、係合孔など）１７が突設されている。そして、該被係合部１７に後述する本発明の引張り手段（ラッチレバー）７５が係合する。
【０００９】
（４）その他の部材
図１には説明の便宜上その他の部材を示してある。例えば符合１８は安全機構を構成するショック吸収ばね部材で、このショック吸収ばね部材１８は、引戸１がストライク３に勢い良く衝突した場合に於いて、係止片１２にかかった分力を吸収する。また符合１９は本施錠機構を構成するスライド操作片である。このスライド操作片１９の下端部には、鎌片９の後端部に形成した第２の係合歯に係合可能な施錠片（第２の係止片）２０が係合している。
【００１０】
（５）本発明の主要部
以上が本発明の主要部を理解するための補強材料（発明の実施の環境）である。そこで、図２乃至図１５を参照に本発明の一実施例を説明する。図２は引戸１の一側表面から見た場合の、いわゆる基準となる正面図である。図３は分解斜視図である。図４乃至図７は引手３０を示す各説明図である。
【００１１】
「引手」…まず、図４乃至図７を参照に合成樹脂製の引手３０について説明する。普通一般に引手には、四角型や丸型が存在するが、本実施例では少なくとも片手の指先を十分に余裕を持って差込めるように縦長状に形成されている。すなわち、３１は指差込み用の縦長凹所である。換言すれば、３１は正面視縦長矩形状の凹所である。３２は縦長凹所を形成する周側壁で、この周側壁３２の開口端縁には矩形状の鍔部３３が周設されている。３４は鍔部３３の上下端部にそれぞれ形成された取付け孔である。
【００１２】
３５は周側壁３２に連設する正面底壁で、図４を基準にすると、この正面底壁３５の右端部には、上端部寄りの部位から下端部寄りの部位まで細長状切欠部３６が形成されている。また周側壁３２の裏面には、複数個の固定軸（中央部軸，端部軸）が突設されている。縦断面図の図５及び背面図の図６で示すように、３７は周側壁３２の中央部に設けられた揺動カム板用の上下一対の中央部軸、一方、３８は周側壁３２の端部（端部寄りの部位も含む）に設けられたギア用の上下一対の端部軸である。なお、３９は周側壁３２の一側に形成された固着具を通すための付随的な孔である。
【００１３】
「引手レバー」…次に図３を参照に引手３０の凹所３１内に嵌め込まれる合成樹脂製の引手レバー４０につて説明する。ここで引手レバーとスライド駆動板とを組合わせた状態の図８も参照願いたい。
【００１４】
さて、引手レバー４０は、引手の細長状切欠部３６の長さ寸法を考慮し、縦長板状に形成されている。図３で示す上端面から引手レバー４０を観察すると、指でプッシュされる垂直壁４１の手前端部の右側に短突壁４２が縦長に連設している。また垂直壁４１の手前端部の左側に、指が引っ掛かるように縦長の膨らみ部４３が形成されている。したがって、引手レバー４０の端面はややＴ字型状に形成されている。
【００１５】
しかして、４４は前記垂直壁４１の一側面上下端部寄りの部位に一端部がそれぞれ取り付けられた複数個の復帰バネで、これらの復帰バネ４４の自由端部は、引手３０の周側壁３２の一側内壁面３２ａにそれぞれ当接する。また４５は復帰バネ４４の取付け近傍に形成された上下一対のメネジである。
【００１６】
「スライド駆動板」…金属製のスライド駆動板４７は、図８及び図９で示すように引手レバー４０と一体的に組合わせられる。図３を基準にスライド駆動板４７を説明すると、４８は正面視縦長矩形状の嵌合部（例えば嵌合窓、嵌合溝）で、この嵌合部４８は、引手３０の正面底壁３５の裏面側に位置する矩形状のスライド板部４９に形成されている。５０はスライド板部４９の上下端部にそれぞれ形成されたラックである。このラック５０は後述するギア部材と共に動力変換機構を構成する。
【００１７】
５１はスライド板部４９の右端部に角度（直角）方向に連設する嵌合突壁で、この嵌合突壁５１の上下端部寄りの部位には、横向きＵ字型状の復帰バネ４４用小孔或いは小切欠部５２がそれぞれ形成されている。また嵌合突壁５１の小切欠部５２寄りの部位には、引手レバー４０のメネジ４５と符合する一対の貫通孔５３が形成されている。これらの貫通孔５３は、スライド駆動板４７のスライド板部４９を引手の正面底壁３５の裏面に合わせるようにして前記嵌合突壁５１を引手３０の細長状切欠部３６に嵌め入れた際に、引手３０の付随的孔３９と一致する。
【００１８】
ここでスライド駆動板４７の組込み合わせ方法について簡単に説明する。まず、スライド駆動板４７の嵌合突壁５１を引手３０の細長状切欠部３６に嵌め入れる（Ａ：嵌合工程）。次に引手レバー４０を引手３０の縦長凹所３１から入れ、かつ、復帰バネ４４を嵌合突壁５１の小切欠部５２に通すようにして該引手レバー４０の垂直壁４１をスライド駆動板４７の嵌合突壁５１の他側面に接合状態に合わせる（Ｂ：接合工程）。次いで、引手３０の付随的孔３９から固着具５４を通し、かつ、嵌合突壁５１の貫通孔５３を介して引手レバー４０のメネジ４５に固着具５４を嵌め合わせ、固着具５４を締めることにより引手レバー４０とスライド駆動板４７とを一体的に結合する（Ｃ：結合工程）。
【００１９】
上記の組合わせ状態に於いて、図８で示すように引手レバー４０の復帰バネ４４の端部は引手３０の周側壁３２の一側内壁面３２ａに当接しているので、引手の細長状切欠部３６に遊嵌合状態に嵌め込まれたスライド駆動板４７は、復帰バネ４４により周側壁３２の一側内壁面３２ａから離れ、その折曲部が細長状切欠部３６の縁に当接している。したがって、スライド駆動板４７は、常時所定位置に停止している。
【００２０】
「支持板」…ここで、揺動カム板、ギア部材などの構成部品を説明する前に、図３を参照に引手３０用支持板６０について説明する。引手用支持板６０は、端面Ｌ字型状に形成された金属板である。図３はネジ孔などの細部を省略してある。設計如何によっては、ベース板６０に揺動カム板やギア部材用の固定軸を設けても良いが、本実施例では、主に揺動カム板，ギア部材等を支持する支持板としての機能を果す。
【００２１】
しかして、６１は引手３０の正面底壁３５の裏面側に前述したスライド駆動板４７のスライド板部４９を支持するように添設されるベース板部で、このベース板部６１は前記正面底壁３５と略同じ大きさである。６２はベース板部６１の左端部を角度方向に折り曲げて形成された長板状の案内側壁で、この案内側壁６２は若干の間隙を有して引手３０の周側壁３２の他側外壁面３２ｂと対向する。なお、引手３０は、その鍔部３３の裏面一部が案内側壁６２の端面に当接した状態で、かつ、図示しない固定手段を介して適宜に支持板６０に取付けられる。
【００２２】
「揺動カム板」…上下一対の揺動カム板６５，６５Ａは、それぞれ細長い薄板形状（例えば手に持つしゃく形状）に形成され、本実施例では、図１１及び図１２で示すようにスライド駆動板４７の縦長矩形状嵌合部４８内に対称的に噛合い係合し、かつ、前述した中央部軸３７，３７にそれぞれ軸支されている。
【００２３】
しかして、６６，６６はそれぞれ対向側端部に形成された挟み状係合歯である。挟み状係合歯６６，６６を介して同期的に協動する上下の揺動カム板６５，６５Ａは、挟み状係合歯６６，６６寄りの部位がそれぞれ中央部軸３７，３７に軸支されている。そして、係合歯６６寄りの部位から自由端部６７に至るに従って次第に幅広状態に形成され、幅広自由端部６７の左右の外壁面は、嵌合部４８を形成する枠状規制内壁４８ａの左右にそれぞれ当接状態である。嵌合部４８の内径寸法と幅広自由端部６７の外径寸法は適宜に設定されるが、望ましくは、スライド駆動板４７が引手レバー４０のプッシュ操作により水平方向に移動する時、上下の揺動カム板６５，６５Ａの幅広自由端部６７，６７が枠状規制内壁４８ａに押され、かつ、中央部軸３７，３７を支点に同期的に同じ方向へ追動するように設定されている。
【００２４】
「ギア部材」…動力変換機構を構成する上下一対のギア部材７０，７０は、そのピニオン部分７１，７１がスライド駆動板４７の上下のラック５０，５０にそれぞれ噛合うように端部軸３８，３８に軸支されている。
【００２５】
「引張り手段」…引張り手段７５，７５は、上下一対のギア部材７０，７０にそれぞれ噛合うように支持板６０の案内側壁６２と引手３０の周側壁３２の他側外壁面３２ｂとの間に介在している。
【００２６】
図３を参照に上方の引張り手段７５の形態について説明する。引張り手段７５を左手に例えて説明すると、７６は前述した引戸錠Ｘの係止片１２の被係合部１７と係合する鉤状係合部で、この鉤状係合部７６は左親指を折り曲げた状態に相当する。７７は支持板６０の案内側壁６２に案内されるスライド部で、このスライド部７７は手の平部分に相当する。７８はスライド部７７の側端部を折り曲げて形成した縦方向の連続的係合歯で、この連続的係合歯７８はギア部材７０のピニオン部分７１に噛合っている。連続的係合歯７８は人差し指乃至小指に相当する。なお、ギア部材７０及び引張り手段７５は、左右勝手に対応させるために上下に一対設けているが、本発明の特定要件としてはそれぞれ１つであっても良い。
【００２７】
【実施例】
本発明の一実施例において、引手用の支持板６０の形態は、端面Ｌ字型の形状の他、端面チャンネル形状に形成しても良い。また、固定軸（中央部軸３７，端部軸３８）用の取付け孔を、望ましくはスライド駆動板４７のスライド板部４９並びに支持板６０のベース板部６１に形成しても良い。さらに、引手３０の縦長凹所３１の巾寸法は２ｃｍ乃至３ｃｍで、一方、高さ寸法は９ｃｍ乃至２０ｃｍである。
【００２８】
【発明の作用・効果】
以上の説明から明らかなように、本発明にあっては、図１４で示すように引手３０の縦長凹所３１内に指を差込み、引手レバー４０を押し込むと、引手レバー４０と一体のスライド駆動板４７は、矢印Ｂで示す右方向へ、復帰バネ４４のバネ力に抗して水平移動する。この時スライド駆動板４７が引手３０の縦長状切欠部幅の範囲内に於いて水平移動すると、上下の揺動カム板６５，６５Ａの幅広自由端部６７，６７が枠状規制内壁４８ａに均等的に押され、かつ、中央部軸３７，３７を支点に同期的に上記矢印Ｂと同じ方向へ移動（追動）する。
【００２９】
そして、スライド駆動板４７が移動すると、同時に動力変換機構を構成する部材（ラック５０，ギア部材７０）を介して引張り手段７５が矢印で示すようにスライド駆動板４７内へと後退するので、図１で示す係止片１２は横軸１５を支点に係合解除の方向（時計方向）へと回転する。
【００３０】
したがって、本発明に於いては、引戸１を開ける際に、引戸１を開ける方向Ｂへ引手レバー４０の押しても、スライド駆動板４７の全体に押圧力が掛かり、この時スライド駆動板４７が引手レバー４０のプッシュ操作により水平移動すると、同期的に協動する上下の揺動カム板６５，６５Ａの対称的な自由端部６７，６７がスライド駆動板４７の枠状嵌合部４８に均等状態に当接作用するので、スライド駆動板４７は案内機能を発揮する上下の揺動カム板によりバランス良く水平移動する。
【００３１】
それ故に、引戸を開ける際に、引手レバー４０のどの部位（上部、中央部、下部など）をプッシュしても、引手レバーの押圧力は、スライド駆動板を介して上下の揺動カム板の自由端部に均等的に作用するので、結局、引手レバーはストローク不足を生じることなくスムースに動く。
【図面の簡単な説明】
【図１】発明の実施形態の一例を示す概略説明図。
【図２】正面図。
【図３】分解斜視図。
【図４】引手の正面図。
【図５】図４の５−５線概略断面図。
【図６】図４を基準とした背面図。
【図７】図６の７−７線概略断面図。
【図８】引手レバーとスライド駆動板と引手との関係を示す概略説明図。
【図９】引手レバーと引手との関係を示す概略説明図。
【図１０】引手とスライド駆動板との関係を示す背面図。
【図１１】スライド駆動板と揺動カム板とギア部材と引張り手段との関係を示す正面側からの説明図。
【図１２】図１１に於いて、背面側からの説明図。
【図１３】図１２の１３−１３線概略断面図。
【図１４】作動状態を説明する正面側からの概略説明図。
【図１５】作動状態を説明する側面側からの概略説明図。
【符号の説明】
Ｘ…引戸錠、Ｙ…受金具、Ｚ…ロック解除駆動機構、１…引戸、２…戸枠、３…ストライク、１２…係止片、１７…被係合部、３０…引手、３１…縦長凹所、３２…周側壁、３３…鍔部、３５…正面底壁、３６…細長錠切欠部、３７…中央部軸、３８…端部軸、４０…引手レバー、４１…垂直壁、４４…復帰バネ、４５…メネジ、４７…スライド駆動板、４８…嵌合部、４９…スライド板部、５０…ラック、５１…嵌合突壁、５２…小切欠部、５３…貫通孔、５４…固着具、６０…支持板、６１…ベース板部、６２…案内側壁、６５…揺動カム板、６６…係合歯、６７…自由端部、７０…ギア部材、７５…引張り手段、７６…鉤状係合部、７８…連続的係合歯。
【図１】
0004221141.tif 000002
【図２】
0004221141.tif 000003
【図３】
0004221141.tif 000004
【図４】
0004221141.tif 000005
【図５】
0004221141.tif 000006
【図６】
0004221141.tif 000007
【図７】
0004221141.tif 000008
【図８】
0004221141.tif 000009
【図９】
0004221141.tif 000010
【図１０】
0004221141.tif 000011
【図１１】
0004221141.tif 000012
【図１２】
0004221141.tif 000013
【図１３】
0004221141.tif 000014
【図１４】
0004221141.tif 000015
【図１５】
0004221141.tif 000016